(57)【要約】【課題】撮影シーンの種類を高い確度で自己判別することのできる電子カメラを提供することを目的とする。【解決手段】本発明の電子カメラ（１）は、撮影レンズのあおり方向の姿勢を検出する姿勢検出手段（１１２）と、前記姿勢に基づき、電子カメラの撮影シーンが特定の撮影シーンであるか否かを判別する判別手段（１１１）とを備える。このように、判別材料に撮影レンズ１１の姿勢を加えると、判別の確度が高い。また、特定の撮影シーンと判別されたときに、電子カメラ（１）の撮影モードを、その特定のシーンに適合する特定のシーンモードに設定してもよい。【選択図】      図１
2006086758.tif 000002
【特許請求の範囲】
【請求項１】
撮影レンズのあおり方向の姿勢を検出する姿勢検出手段と、
前記姿勢に基づき、電子カメラの撮影シーンが特定の撮影シーンであるか否かを判別する判別手段と
を備えたことを特徴とする電子カメラ。
【請求項２】
請求項１に記載の電子カメラにおいて、
前記特定の撮影シーンと判別されたときには、前記電子カメラの撮影モードをその特定の撮影シーンに適合する特定のシーンモードに設定する設定手段を更に備えた
ことを特徴とする電子カメラ。
【請求項３】
請求項１又は請求項２に記載の電子カメラにおいて、
前記撮影レンズによって捉えられる被写界の情報を取得する測定手段を更に備え、
前記判別手段は、
前記姿勢と前記情報とに基づき前記判別をする
ことを特徴とする電子カメラ。
【請求項４】
請求項３に記載の電子カメラにおいて、
前記測定手段は、
被写体の輝度の情報を取得し、
前記判別手段は、
前記姿勢が下向きの姿勢、かつ前記輝度が低輝度又は中輝度であるときには、前記撮影シーンを、モノクロコピー又はそれ相当の撮影シーンと判別する
ことを特徴とする電子カメラ。
【請求項５】
請求項３に記載の電子カメラにおいて、
前記測定手段は、
被写体の輝度及び距離の情報を取得し、
前記判別手段は、
前記姿勢が斜め上向きの姿勢、かつ前記輝度が低輝度、かつ前記距離が遠距離であるときには、前記撮影シーンを、打ち上げ花火又はそれ相当の撮影シーンと判別する
ことを特徴とする電子カメラ。
【請求項６】
請求項５に記載の電子カメラにおいて、
前記判別手段は、
前記姿勢が正面向きの姿勢、かつ前記輝度が中輝度、かつ前記距離が近距離又は中距離であるときには、前記撮影シーンを、ポートレート又はそれ相当の撮影シーンと判別する
ことを特徴とする電子カメラ。
【請求項７】
請求項６に記載の電子カメラにおいて、
前記測定手段は、
前記被写体の画角の情報を更に取得し、
前記判別手段は、
前記姿勢が正面向きの姿勢、かつ前記輝度が中輝度、かつ前記距離が近距離又は中距離であっても、前記被写体の画角が広角であるときには、前記ポートレート又はそれ相当の撮影シーンではないと判別する
ことを特徴とする電子カメラ。
【請求項８】
請求項１〜請求項７の何れか一項に記載の電子カメラにおいて、
前記姿勢検出手段が検出可能な姿勢は、
上向きの姿勢、斜め上向きの姿勢、正面向きの姿勢、斜め下向きの姿勢、下向きの姿勢の５種類である
ことを特徴とする電子カメラ。
【発明の詳細な説明】
【技術分野】
【０００１】
本発明は、撮影条件や画像処理の内容などの画像取得条件を変更可能な電子カメラ（シーンモード切り替えの機能が搭載された電子カメラ）に関する。
【背景技術】
【０００２】
電子カメラの撮影シーンの種類には、ポートレートの撮影シーン、打ち上げ花火の撮影シーン、書類の撮影シーン（モノクロコピーの撮影シーン）、クローズアップ撮影シーン（マクロ撮影シーン）などがある。
各撮影シーンでは、高い撮影効果を得るために必要な画像取得条件（合焦制御、露出制御、色補正、画像処理などの内容）がそれぞれ異なる。
【０００３】
このため、一般的な電子カメラには、撮影モードを、画像取得条件の互いに異なる「ポートレートモード」、「打ち上げ花火モード」、「モノクロコピーモード」、「マクロモード」などの各種の撮影モードに切り替える機能が搭載されている（特許文献１など）。
本明細書では、このように、特定の撮影シーンに適合する撮影モード、すなわち特定の撮影シーンにおいて高い撮影効果が得られる画像取得条件を設定する撮影モードを、「シーンモード」という。
【０００４】
操作者によるシーンモードの切り替えは、電子カメラの本体に設けられた設定ダイアルなどの操作によって行われる。
【特許文献１】特開平１０−１４８８６３号公報
【発明の開示】
【発明が解決しようとする課題】
【０００５】
しかしながら、撮影シーンに突然の変化があったり、シャッターチャンスが不意に訪れたりしたときには、操作者による操作が間に合わないことがある。また、不慣れな操作者は、シーンモードの選択を誤って撮影に失敗することもある。
そこで本発明は、撮影シーンの種類を高い確度で自己判別することのできる電子カメラを提供することを目的とする。
【課題を解決するための手段】
【０００６】
請求項１に記載の電子カメラは、撮影レンズのあおり方向の姿勢を検出する姿勢検出手段と、前記姿勢に基づき、電子カメラの撮影シーンが特定の撮影シーンであるか否かを判別する判別手段とを備えたことを特徴とする。
請求項２に記載の電子カメラは、請求項１に記載の電子カメラにおいて、前記特定の撮影シーンと判別されたときには、前記電子カメラの撮影モードをその特定の撮影シーンに適合する特定のシーンモードに設定する設定手段を更に備えたことを特徴とする。
【０００７】
請求項３に記載の電子カメラは、請求項１又は請求項２に記載の電子カメラにおいて、前記撮影レンズによって捉えられる被写界の情報を取得する測定手段を更に備え、前記判別手段は、前記姿勢と前記情報とに基づき前記判別をすることを特徴とする。
請求項４に記載の電子カメラは、請求項３に記載の電子カメラにおいて、前記測定手段は、被写体の輝度の情報を取得し、前記判別手段は、前記姿勢が下向きの姿勢、かつ前記輝度が低輝度又は中輝度であるときには、前記撮影シーンを、モノクロコピー又はそれ相当の撮影シーンと判別することを特徴とする。
【０００８】
請求項５に記載の電子カメラは、請求項３に記載の電子カメラにおいて、前記測定手段は、被写体の輝度及び距離の情報を取得し、前記判別手段は、前記姿勢が斜め上向きの姿勢、かつ前記輝度が低輝度、かつ前記距離が遠距離であるときには、前記撮影シーンを、打ち上げ花火又はそれ相当の撮影シーンと判別することを特徴とする。
請求項６に記載の電子カメラは、請求項５に記載の電子カメラにおいて、前記判別手段は、前記姿勢が正面向きの姿勢、かつ前記輝度が中輝度、かつ前記距離が近距離又は中距離であるときには、前記撮影シーンを、ポートレート又はそれ相当の撮影シーンと判別することを特徴とする。
【０００９】
請求項７に記載の電子カメラは、請求項６に記載の電子カメラにおいて、前記測定手段は、前記被写体の画角の情報を更に取得し、前記判別手段は、前記姿勢が正面向きの姿勢、かつ前記輝度が中輝度、かつ前記距離が近距離又は中距離であっても、前記被写体の画角が広角であるときには、前記ポートレート又はそれ相当の撮影シーンではないと判別することを特徴とする。
【００１０】
請求項８に記載の電子カメラは、請求項１〜請求項７の何れか一項に記載の電子カメラにおいて、前記姿勢検出手段が検出可能な姿勢は、上向きの姿勢、斜め上向きの姿勢、正面向きの姿勢、斜め下向きの姿勢、下向きの姿勢の５種類であることを特徴とする。
【発明の効果】
【００１１】
本発明によれば、撮影シーンの種類を高い確度で自己判別することのできる電子カメラが実現する。
【発明を実施するための最良の形態】
【００１２】
［第１実施形態］
以下、図面に基づき本発明の第１実施形態を説明する。
本実施形態は、電子カメラの実施形態である。
図１は、電子カメラの構成図である。
電子カメラ１には、撮影レンズ１１、シャッタユニット１１ａ、ＣＣＤ撮像素子１２、露光制御装置（ＡＥ制御装置）１３ａ、合焦制御装置（ＡＦ制御装置）１３ｂ、ストロボ装置１５、ストロボ制御装置１３ｃ、制御回路１１１、レリーズ釦１８、設定ダイアル１９、姿勢センサ１１２、液晶モニタ１１６などが備えられる。制御回路１１１には、色補正部１１１ａ、画像処理部１１１ｂ、シーンモードデータ１１１ｃ（後述する図１０の表の情報）などが搭載されている。また、符号１６で示すのは、電子カメラ１に対し挿脱可能な記録メディア１６である。
【００１３】
このうち、姿勢センサ１１２が請求項の姿勢検出手段に対応し、制御回路１１１が請求項の判別手段に対応し、制御回路１１１、ＡＥ制御装置１３ａ、ＡＦ制御装置１３ｂが請求項の測定手段に対応し、制御回路１１１、ＡＥ制御装置１３ａ、ＡＦ制御装置１３ｂ、ストロボ制御装置１３ｃが請求項の設定手段に対応する。
先ず、姿勢センサ１１２を説明する。
【００１４】
図２は、電子カメラ１を横から見た様子を示しており、図２中の符号Ｚは、撮影レンズ１１の光軸、符号Ｇは、重力方向である。
姿勢センサ１１２が検出するのは、撮影レンズ１１のあおり方向の姿勢である。ここでは、姿勢センサ１１２の検出段階を、次の５段階とする。
「正面向き」・・・撮影レンズ１１の最終面（被写界側の面）が正立姿勢の操作者から見て正面を向いているときの姿勢。ここでは、水平軸に対する光軸Ｚの角度が図２中に示すとおり−１０°〜＋１０°の若干狭い範囲にあるときの姿勢とする。
【００１５】
「上向き」・・・撮影レンズ１１の最終面が鉛直上方向を向いているときの姿勢。ここでは、水平軸に対する光軸Ｚの角度が図２中に示すとおり＋６０°〜＋９０°の若干狭い範囲にあるときの姿勢とする。
「下向き」・・・撮影レンズ１１の最終面が鉛直下方向を向いているときの姿勢。ここでは、光軸Ｚの水平軸に対する角度が図２中に示すとおり−６０°〜−９０°の若干狭い範囲にあるときの姿勢とする。
【００１６】
「斜め上向き」・・・撮影レンズ１１の最終面が「正面向き」と「上向き」との間の方向を向いているときの姿勢。ここでは、水平軸に対する光軸Ｚの角度が図２中に示すとおり＋１０°〜＋６０°の若干広い範囲にあるときの姿勢とする。
「斜め下向き」・・・撮影レンズ１１の最終面が「正面向き」と「下向き」との間の方向を向いているときの姿勢。ここでは、光軸Ｚの水平軸に対する角度が図２中に示すとおり−１０°〜−６０°の若干広い範囲にあるときの姿勢とする。
【００１７】
因みに、このような姿勢センサ１１２には、例えば、特開平７−２４８５３８号公報、特開平９−９０２０２号公報、特開平１０−１６４４２０号公報、特開平１１−３２６９９１号公報、特開２００１−２１５５４８号公報などに記載されたセンサが適用可能である。
次に、設定ダイアル１９を説明する。
【００１８】
図３は、電子カメラ１を上から見た様子を示している。電子カメラ１の上面に、設定ダイアル１９は設けられている。
設定ダイアル１９は、電子カメラのモードを切り替えるためのダイアルである。設定ダイアル１９には、各種の撮影モードのアイコン（１９ａ，１９ｄ，１９ｅなど）、再生モードのアイコン１９ｂ、動画撮影モードのアイコン１９ｃなどが割り付けられている。
【００１９】
各種の撮影モードのアイコン（１９ａ，１９ｄ，１９ｅなど）の中には、オート撮影モードのアイコン１９ａ、各種のシーンモードのアイコン１９ｄ（「夕焼けモード」，「海・雪モード」，「風景モード」などのアイコン）の他に、オートシーンモード（お任せモード）のアイコン１９ｅなどがある。
電子カメラ１の制御回路１１１（図１参照）は、操作者による設定ダイアル１９の操作に応じて電子カメラ１のモードを各種のモードに切り替える。因みに、オートシーンモードにあるときの電子カメラ１の動作が、本発明の特徴部分に対応する。
【００２０】
次に、オート撮影モードにあるときの電子カメラ１の動作を説明し、その後にオートシーンモードにあるときの電子カメラ１の動作を説明する。
（オート撮影モード）
オート撮影モードは、平均的な各種の撮影シーンにおいてミスを防ぐための撮影モードである。
【００２１】
オート撮影モードでは、ＣＣＤ撮像素子１２は、撮影レンズ１１によって捉えられた被写界の像の粗い画像を連続的に取得する。その粗い画像は、制御回路１１１を介して液晶モニタ１１６上にスルー画像（被写界の様子をリアルタイムで表す画像）として順次表示される。
レリーズ釦１８が半押しされると、制御回路１１１は、粗い画像から被写体の測距データを抽出し、合焦制御のパラメータ（撮影レンズ１１内のフォーカスレンズの駆動量）を決定し、ＡＦ制御装置１３ｂを介して撮影レンズ１１を被写体の位置に合焦させる（合焦制御）。
【００２２】
また、制御回路１１１は、粗い画像から被写体の測光データを抽出し、露出制御のパラメータ（シャッター時間、絞り値、ストロボ発光の必要の有無など）を決定する。
その後、レリーズ釦１８が全押しされると、ＡＥ制御装置１３ａは、シャッタユニット１１ａ及びＣＣＤ撮像素子１２を同期制御し、前記決定されたシャッター時間及び絞り値の下で被写界の像の詳細な画像を取得する。また、ストロボ発光が必要と決定されたときには、その全押しのタイミングで、ストロボ制御装置１３ｃはストロボ装置１５を駆動して被写界を閃光照明する（露出制御）。
【００２３】
また、制御回路１１１は、詳細な画像（又は粗い画像）から色温度データを抽出し、その色温度データに最適な色補正のパラメータ（ホワイトバランスゲイン）を決定する。制御回路１１１の色補正部１１１ａは、そのホワイトバランスゲインを詳細な画像の各信号に乗算してホワイトバランス処理を施す（色補正）。
その後、詳細な画像は、所定の形式でファイル化され、記録メディア１６に書き込まれる。以上のとおり、詳細な画像が記録されるまでの動作が、画像取得動作である。
【００２４】
なお、画像処理部１１１ｂは、後述するオートシーンモード中に特別の動作をするものであって、このオート撮影モード中には特別の動作をしない。
また、このオート撮影モード中の画像取得条件（合焦位置、シャッター時間、絞り値、ストロボ発光の必要の有無、色補正の内容など）と、粗い画像から抽出された測光データ、測距データ、色温度データとの間の関係は、なるべく多くの平均的な撮影シーンにおいてミスが生じないように実験などに基づき決められている。
【００２５】
（オートシーンモード）
オートシーンモードは、平均的な各種の撮影シーンにおいてミスを防ぎつつ、特定の撮影シーンにおいては高い撮影効果を得るための撮影モードである。
図４は、オートシーンモード中の電子カメラ１の動作フローチャートである。
オートシーンモードでは、ＣＣＤ撮像素子１２は、撮影レンズ１１によって捉えられた被写界の像の粗い画像を連続的に取得する。その粗い画像は、制御回路１１１を介して液晶モニタ１１６上にスルー画像として順次表示される。
【００２６】
レリーズ釦１８が半押しされると（図４のステップＳ１YES）、制御回路１１１は、粗い画像から被写体の測距データ及び測光データを抽出すると共に、姿勢センサ１１２の出力を参照し、撮影レンズ１１が「上向き」、「斜め上向き」、「正面向き」、「斜め下向き」、「下向き」の何れであるかを判別する（図４のステップＳ２）。
そして、制御回路１１１は、測距データが示している被写体の距離、測光データが示している被写体の輝度、及び、判別した姿勢に基づき、被写体のおかれた状況、すなわち撮影シーンの種類を判別する（図４のステップＳ３）。
【００２７】
ここで、この判別を詳しく説明する。
判別は、図５、図６、図７、図８、図９の各表に従う。図５、図６、図７、図８、図９の各表は、姿勢が「上向き」であるときの判別内容、「斜め上向き」であるときの判別内容、姿勢が「正面向き」であるときの判別内容、姿勢が「斜め下向き」であるときの判別内容、姿勢が「下向き」であるときの判別内容である。
【００２８】
なお、被写体の距離は、次の３段階に分類される。
「近距離」・・・２ｍ以内の距離。
「中距離」・・・２〜５ｍの距離。
「遠距離」・・・５ｍ〜無限遠。
また、被写体の輝度は、次の３段階に分類される。
【００２９】
「高輝度」・・・Ｅｖ値１２以上の輝度。
「中輝度」・・・Ｅｖ値８〜１２の輝度。
「低輝度」・・・Ｅｖ値８未満の輝度。
図５の判別内容を列記すると、次のとおりである。
「上向き」，「高輝度」，「遠距離」のとき→「空の撮影シーン」と判別。
【００３０】
「上向き」，「中輝度」，「遠距離」のとき→「雲の撮影シーン」と判別。
「上向き」，「低輝度」，「遠距離」のとき→「夜景の撮影シーン」と判別。
「上向き」でそれ以外のとき→「その他の撮影シーン」と判別。
図６の判別内容を列記すると、次のとおりである。
「斜め上向き」，「低輝度」，「遠距離」のとき→「打ち上げ花火の撮影シーン」と判別。
【００３１】
「斜め上向き」，「中輝度」，「遠距離」のとき→「夕焼けの撮影シーン」と判別。
「斜め上向き」，「高輝度」，「遠距離」のとき→「空の撮影シーン」と判別。
「斜め上向き」でそれ以外のとき→「その他の撮影シーン」と判別。
図７の判別内容を列記すると、次のとおりである。
「正面向き」，「低輝度」，「遠距離」のとき→「夜景の撮影シーン」と判別。
【００３２】
「正面向き」，「低輝度」，「中距離」のとき→「夜景ポートレート（スローシンクロ）の撮影シーン」と判別。
「正面向き」，「低輝度」，「近距離」のとき→「夜景ポートレート（スローシンクロ）の撮影シーン」と判別。
「正面向き」，「中輝度」，「遠距離」のとき→「風景の撮影シーン」と判別。
【００３３】
「正面向き」，「中輝度」，「中距離」のとき→「ポートレートの撮影シーン」と判別。
「正面向き」，「中輝度」，「近距離」のとき→「ポートレートの撮影シーン」と判別。
「正面向き」，「高輝度」，「遠距離」のとき→「海又は雪の撮影シーン」と判別。
【００３４】
「正面向き」でそれ以外のとき→「その他の撮影シーン」と判別。
図８の判別内容を列記すると次のとおりである。
「斜め下向き」，「中輝度」，「近距離」のとき→「マクロ撮影シーン」と判別。
「斜め下向き」，「高輝度」，「近距離」のとき→「マクロ撮影シーン」と判別。
「斜め下向き」でそれ以外のとき→「その他の撮影シーン」と判別。
【００３５】
図９の判別内容を列記すると次のとおりである。
「下向き」，「低輝度」のとき→距離に拘わらず「書類（モノクロコピー）の撮影シーン」と判別。
「下向き」，「中輝度」のとき→距離に拘わらず「書類（モノクロコピー）の撮影シーン」と判別。
【００３６】
「下向き」でそれ以外のとき→「その他の撮影シーン」と判別。
このようなステップＳ３の判別によれば、例えば、操作者が日中の屋外で上方の空を撮影しようとすると、その空は遠く、かつ明るいので、「空の撮影シーン」と判別される（図５の１段目を参照）。
また、この判別によれば、例えば、操作者が日中の屋外で上方の雲を撮影しようとすると、その雲は遠く、かつあまり明るくないので、「雲の撮影シーン」と判別される（図５の２段目を参照）。
【００３７】
また、この判別によれば、例えば、操作者が夜間の屋外で上方の空を撮影しようとすると、空は遠く、かつ暗いので、「夜景の撮影シーン」と判別される（図５の３段目を参照）。
また、この判別によれば、例えば、操作者が斜め上の遠方のあまり明るくない景色を撮影しようとすると、「夕焼けの撮影シーン」と判別される（図６の２段目を参照）。
【００３８】
また、この判別によれば、例えば、操作者が室内で卓上に置いた書類を撮影しようとすると、撮影レンズ１１の姿勢は下向きになり、かつ書類はあまり明るくない（又は暗い）ので、「モノクロコピー」と判別される（図９の２段目、３段目を参照）。
次に、制御回路１１１は、判別した撮影シーンの種類に従い、その撮影シーンに適合する撮影モードに電子カメラ１を設定する（図４のステップＳ４）。
【００３９】
ここで、この設定を詳しく説明する。
「その他の撮影シーン」のとき→「オート撮影モード」に設定。
「空の撮影シーン」のとき→シーンモードの「空モード」に設定。
「雲の撮影シーン」のとき→シーンモードの「雲モード」に設定。
「夜景の撮影シーン」のとき→シーンモードの「夜景モード」に設定。
【００４０】
「打ち上げ花火の撮影シーン」のとき→シーンモードの「打ち上げ花火モード」に設定。
「夕焼けの撮影シーン」のとき→シーンモードの「夕焼けモード」に設定。
「スローシンクロの撮影のシーン」のとき→シーンモードの「スローシンクロモード」に設定。
【００４１】
「風景の撮影シーン」のとき→シーンモードの「風景モード」に設定。
「ポートレートの撮影シーン」のとき→シーンモードの「ポートレートモード」に設定。
「海又は雪の撮影シーン」のとき→シーンモードの「海・雪モード」に設定。
「マクロ撮影シーン」のとき→シーンモードの「マクロモード」に設定。
【００４２】
「モノクロコピーの撮影シーン」のとき→シーンモードの「モノクロコピーモード」に設定。
なお、以上の各撮影モードの間では、画像取得条件がそれぞれ異なる。次に、各撮影モードの画像取得条件を説明する。
先ず、オート撮影モードの画像取得条件は、オート撮影モードの説明中に記したとおりである。一方、各シーンモードの画像取得条件は、オート撮影モードの画像取得条件をそれぞれ変更したものである。
【００４３】
変更点の情報は、シーンモードデータ１１１ｃとして予め制御回路１１１が保有している。制御回路１１１は、そのシーンモードデータ１１１ｃを参照することによって、各シーンモードの画像取得条件を認識する。
図１０は、各シーンモードの画像取得条件（オート撮影モードの画像取得条件からの変更点）を示す表である。なお、図１０の表において、「合焦」はＡＦ制御装置１３ｂの合焦制御に関する画像取得条件、「露出」はＡＥ制御装置１３ａの露出制御に関する画像取得条件、「色補正」は色補正部１１１ａの色補正に関する画像取得条件、「ストロボ」はストロボ制御装置１３ｃの露出制御に関する画像取得条件、「画像処理」は画像処理部１１１ｂの画像処理に関する画像取得条件である。
【００４４】
各シーンモードの画像取得条件（オート撮影モードの画像取得条件からの変更点）を列記すると、次のとおりである。
「空モード」・・・合焦位置は無限遠、色補正の内容は青色強調。なお、青色強調は、ホワイトバランスゲインの変更や、色変換処理などにより実現する。
「雲モード」・・・合焦位置は無限遠、露出はプラス補正、色補正の内容は青色抑制。なお、青色抑制は、ホワイトバランスゲインを決定するための色温度データを、マイナス補正することなどにより実現する。
【００４５】
「夜景モード」・・・合焦位置は無限遠、シャッター時間はスローシャッタ（シャッター時間のリミッタを外して１／４秒以上、例えば、２秒、４秒、１０秒、６０秒など）、ストロボ発光は禁止。
「打ち上げ花火モード」・・・合焦位置は無限遠、シャッター時間はスローシャッタ（シャッター時間のリミッタを外して１／４秒以上、例えば、２秒、４秒、１０秒、６０秒など）、ストロボ発光は禁止。
【００４６】
「夕焼けモード」・・・合焦位置は無限遠、色補正の内容は赤色強調、ストロボ発光は禁止。なお、赤色強調は、色変換処理などにより実現する。
「スローシンクロモード」・・・シャッター時間はスローシャッタ（シャッター時間のリミッタを外して１／４秒以上、例えば、２秒、４秒）、ストロボ発光は強制。
「風景モード」・・・合焦位置は無限遠、ストロボ発光は禁止、画像処理の内容はエッジ強調及びコントラスト強調。
【００４７】
「ポートレートモード」・・・絞りは開放、色補正の内容は肌色補正、画像処理の内容はコントラスト抑制。なお、肌色補正は、色変換処理、特に、肌色が赤みがかるような色変換処理により実現する。
「海・雪モード」・・・合焦位置は無限遠、露出はプラス補正、ストロボ発光は禁止。
「マクロモード」・・・撮影レンズ１１のフォーカスレンズの可動範囲をマクロ撮影用に切り替え（フォーカスレンズの可動範囲のリミッタを外す）、撮影レンズ１１のズーム位置をマクロ撮影用にセット。
【００４８】
「モノクロコピーモード」・・・画像処理の内容はエッジ強調及びハイコントラスト及びモノクロ化処理。
次に、ＡＦ制御装置１３ｂは、設定中の撮影モードの画像取得条件に従って合焦制御を行う（図４のステップＳ５）。
このステップＳ５の合焦制御によれば、例えば、設定中の撮影モードがシーンモードの「空モード」、であるときには、撮影レンズ１１は無限遠に合焦する（図１０の「空」の欄を参照）。よって、このときには、遠方のものが鮮明に表現される。
【００４９】
また、ステップＳ５の合焦制御によれば、例えば、設定中の撮影モードがシーンモードの「マクロモード」であるときには、撮影レンズ１１内のズームレンズのズーム位置が、マクロ撮影に適した位置に強制的にセットされる（図１０の「マクロ」の欄を参照）。
次に、制御回路１１１は、設定中の撮影モードがシーンモードの何れかである場合には、その設定中のシーンモードのアイコンを、例えば図１１に示すように、液晶モニタ１１６上のスルー画像に重ねて表示する（図４のステップＳ６）。
【００５０】
このステップＳ６では、スルー画像が見えにくくならないよう、アイコンは、スルー画像の右下などに小さく表示される。因みに、図１１では、撮影シーンが風景の撮影シーンであり、かつ電子カメラ１が風景モードに設定され、「風景モード」のアイコンが表示された様子を示した。表示されるアイコンのデザインは、設定ダイアル１９（図３参照）に割り付けられるアイコンのデザインと同じである。
【００５１】
その後、レリーズ釦１８が全押しされると（図４のステップＳ７YES）、ＡＥ制御装置１３ａ及びストロボ制御装置１３ｃは、設定中の撮影モードの画像取得条件に従って露出制御を行い、詳細な画像を取得する。また、制御回路１１１の色補正部１１１ａは、設定中の撮影モードの画像取得条件に従って詳細な画像に対し色補正を施す。また、制御回路１１１の画像処理部１１１ｂは、設定中の撮影モードの画像取得条件に従って詳細な画像に対し画像処理を施す。その後、詳細な画像は、所定の形式でファイル化され、記録メディア１６に書き込まれる（図４のステップＳ８）。
【００５２】
このステップＳ８の露出制御によれば、例えば、設定中の撮影モードがシーンモードの「夜景モード」であるときには、シャッター時間のリミッタが外されスローシャッタに設定され、ストロボ発光が禁止される（図１０の「夜景」の欄を参照）。よって、このときには、暗い景色が自然な色で明るく表現される。
このステップＳ８の色補正によれば、例えば、設定中の撮影モードがシーンモードの「空モード」であるときには、詳細な画像の青色が強調される（図１０の「空」の欄を参照）。よって、このときには、空の色が白くならずに青く表現される。
【００５３】
また、このステップＳ８の色補正によれば、例えば、設定中の撮影モードがシーンモードの「夕焼けモード」であるときには、詳細な画像の赤色が強調される（図１０の「夕焼け」の欄を参照）。よって、このときには、夕焼けによって色付いた景色の赤色がさらに強調される。
また、このステップＳ８の画像処理によれば、例えば、設定中の撮影モードがシーンモードの「風景モード」であるときには、詳細な画像にエッジ強調及びコントラスト強調の処理が施される（図１０の「風景」の欄を参照）。よって、このときには、建物などの空間周波数の高い景色がくっきりと表現される。
【００５４】
そして、レリーズ釦１８の半押しが解除されると（図４のステップＳ９YES）、その時点で電子カメラ１の状態は図４のステップＳ１に戻る。
（実施形態の効果）
次に、電子カメラ１の効果を説明する。
以上説明したとおり、操作者が設定ダイアル１９を操作して電子カメラ１をオートシーンモードにセットすると、姿勢センサ１１２が撮影レンズ１１のあおり方向の姿勢を検出し、制御回路１１１がその姿勢に応じて電子カメラ１の撮影シーンが特定のシーンであるか否かを判別する。このように、判別材料に撮影レンズ１１の姿勢を加えると、撮影シーンの種類の判別の確度が高い。
【００５５】
また、電子カメラ１は、特定の撮影シーンと判別されたときには、電子カメラ１の撮影モードをその特定のシーンに適合する特定のシーンモードに設定する。
したがって、操作者は、設定ダイアル１９をオートシーンモードにセットしておくだけで、特定の撮影シーンにて高い撮影効果を得る（操作者がその時に感じた印象どおりの画像を得る）ことができる。
【００５６】
また、電子カメラ１は、測距データや測光データなどの被写界の情報を判別材料に加えるているので、撮影シーンの種類の判別に失敗する可能性は低い。
また、電子カメラ１は、撮影レンズ１１の姿勢及び測光データに基づき、撮影シーンがモノクロコピーの撮影シーンであるか否かを図９に示すとおり判別するので、操作者は、書類を撮影しようとするだけで、高い撮影効果（書類上の文字や線を背景と区別して明確に表現する効果）を簡単に得ることができる。
【００５７】
また、電子カメラ１は、撮影レンズ１１の姿勢及び測光データ及び測距データに基づき、撮影シーンが打ち上げ花火の撮影シーンであるか否かを図６に示すとおり判別するので、操作者は、打ち上げ花火を撮影しようとするだけで、高い撮影効果（遠くの花火の細く弱い光を自然な色で表現し、かつ火の粉の軌跡まで表現する効果）を簡単に得ることができる。
【００５８】
また、電子カメラ１は、撮影レンズ１１の姿勢及び測光データ及び測距データに基づき、撮影シーンがポートレートの撮影シーンであるか否かを図７に示すとおり判別するので、操作者は、ポートレート撮影をしようとするだけで、高い撮影効果（背景をぼかして人物を強調し、肌色を美しく表現し、かつ顔の表情を柔らかくする効果）を簡単に得ることができる。
【００５９】
また、電子カメラ１の姿勢センサ１１２は、上向きの姿勢、斜め上向きの姿勢、正面向きの姿勢、斜め下向きの姿勢、下向きの姿勢の５種類の姿勢を峻別できるので、図５、図６、図７、図８、図９に示したような柔軟な判別を可能とする。
（その他）
なお、上記説明では、撮影シーンの種類を判別するときの判別材料を、撮影レンズ１１の姿勢、測光データ、及び測距データの３つのみとしたが、さらに１つ増やして判別の確度を向上させてもよい。
【００６０】
例えば、撮影レンズ１１のズーム位置を検出し（ズーム位置は、例えば合焦制御装置１３ｂなどを介して検出される。）、そのズーム位置の情報（つまり画角の情報）を判別材料に加えてもよい。
その場合、「正面向き」・「中輝度」・「中距離」又は、「正面向き」・「中輝度」・「近距離」であっても、ズーム位置が「広角位置」であるときには、「ポートレートの撮影シーン」ではなく、「その他の撮影シーン」と判別してもよい（なぜなら「広角位置」であるときには、「集合写真撮影」である可能性が高いので。）。
【００６１】
また、上記説明では、オートシーンモード中におけるアイコンの表示先を、液晶モニタ１１６としたが、操作者の目に付くところであれば他の箇所、例えば電子カメラ１のファインダ内としてもよい。また、ファインダ内及び液晶モニタ１１６などの複数箇所としてもよい。
また、上記説明では、オートシーンモード中の電子カメラ１は、色補正及び画像処理を詳細な画像に施し、かつその処理後の画像のみを記録メディア１６に書き込んだが、その色補正及び画像処理の内容を示すパラメータと処理前の画像とを共に記録メディア１６に書き込んでもよい。
【００６２】
また、図１には、電子カメラ１がコンパクトカメラである場合の構成を示したが、一眼レフレックスの電子カメラにも本発明は適用可能である。また、測距データや測光データの取得方法は、上述したもの（スルー画像用の粗い画像から抽出するもの）に限られず、各電子カメラに搭載されたセンサで取得するものであってもよい。
また、電子カメラ１がオートシーンモード中に設定可能なシーンモードの数は、１１であったが、１１未満でもよい。例えば、シーンモードは、「打ち上げ花火モード」、「ポートレートモード」、「モノクロコピーモード」の３つに限定されてもよい。
【図面の簡単な説明】
【００６３】
【図１】電子カメラ１の構成図である。
【図２】姿勢センサ１１２を説明する図である。
【図３】設定ダイアル１９を説明する図である。
【図４】オートシーンモード中の電子カメラ１の動作フローチャートである。
【図５】姿勢が「上向き」であるときの判別内容を示す表である。
【図６】姿勢が「斜め上向き」であるときの判別内容を示す表である。
【図７】姿勢が「正面向き」であるときの判別内容を示す表である。
【図８】姿勢が「斜め下向き」であるときの判別内容を示す表である。
【図９】姿勢が「下向き」であるときの判別内容を示す表である。
【図１０】シーンモードデータ１１１ｃ（各シーンモードの画像取得条件）を示す表である。
【図１１】オートシーンモード中の液晶モニタ１１６の様子を示す図である。
【符号の説明】
【００６４】
１  電子カメラ
１１  撮影レンズ
１１ａ  シャッタユニット
１２  ＣＣＤ撮像素子
１３ａ  露光制御装置（ＡＥ制御装置）
１３ｂ  合焦制御装置（ＡＦ制御装置）
１５  ストロボ装置
１３ｃ  ストロボ制御装置
１１１  制御回路
１８  レリーズ釦
１９  設定ダイアル
１１２  姿勢センサ
１１６  液晶モニタ
１１１ａ  色補正部
１１１ｂ  画像処理部
１１１ｃ  シーンモードデータ
１６  記録メディア
【図１】
2006086758.tif 000003
【図２】
2006086758.tif 000004
【図３】
2006086758.tif 000005
【図４】
2006086758.tif 000006
【図５】
2006086758.tif 000007
【図６】
2006086758.tif 000008
【図７】
2006086758.tif 000009
【図８】
2006086758.tif 000010
【図９】
2006086758.tif 000011
【図１０】
2006086758.tif 000012
【図１１】
2006086758.tif 000013